(57)【特許請求の範囲】
【請求項１】
転動式ディスク軸受であって、当該軸受が：
Ｘ線源の回転陽極を軸線方向に軸承する転動式ディスクと；
該転動式ディスクを軸支するための装着部品と；
を備え、
該装着部品が：
支持構造体に取り付けるための内側装着面と；
外側軸支面と；
を備え、
前記転動式ディスクが：
前記外側軸支面と一致する内側軸支面；
を備え、
前記装着部品は、前記内側軸支面が前記外側軸支面と一致するような転動位置において、前記転動式ディスク内に軸支されており、それによって、前記転動式ディスクは、前記装着部品に関して全ての方向に転動動作を行うことが可能となり；
前記装着部品は、前記転動位置に直交する方向の挿入位置において、前記転動式ディスク内に挿入されるように適合されており；
前記転動式ディスクの少なくとも１つの凹部は、陽極回転軸の軸線方向に少なくとも１つの引掛部を挿入させるとともに、前記少なくとも１つの引掛部と係合させるために設けられており、それによって、前記転動式ディスクの転動動作を維持しつつ、前記支持構造体に関する回転運動に対して前記転動式ディスクを固定する、
転動式ディスク軸受。
【請求項２】
前記外側軸支面は、前記少なくとも１つの引掛部材を支持するように適合された少なくとも１つの支持切欠きを有する、
請求項１に記載の転動式ディスク軸受。
【請求項３】
前記転動式ディスクを固定するための少なくとも１つの引掛部材をさらに含み；
該少なくとも１つの引掛部材が、前記少なくとも１つの凹部の面と一致するように係合する又は適時に係合するべく適合された引掛部係合面を含み、該引掛部係合面が：
第１の湾曲面と、
第２の湾曲面と、
を有する、
請求項１又は２に記載の転動式ディスク軸受。
【請求項４】
前記転動式ディスクを固定するための少なくとも１つの引掛部材をさらに含み；
該少なくとも１つの引掛部材が：
前記転動位置で、前記軸線方向に前記少なくとも１つの引掛部材を前記支持切欠きにおいて支持するために、前記支持切欠きの少なくとも１つの支持凹部と係合するように適合された少なくとも１つのリンクと；
前記転動位置で、回転方向に前記少なくとも１つの引掛部材を前記支持切欠きにおいて支持するために、前記支持切欠きの第１の接合面に当接するように適合された第１の側面と；
前記回転方向に前記転動式ディスクを前記少なくとも１つの引掛部材において支持するために、前記少なくとも１つの凹部の第２の接合面に当接するように適合された第２の側面と；
を備える、
請求項２に記載の転動式ディスク軸受。
【請求項５】
前記転動式ディスクを固定するための少なくとも１つの引掛部材をさらに含み；
前記転動位置において、前記少なくとも１つの支持切欠きは、前記軸線方向に延びており；
前記少なくとも１つの引掛部材は、前記支持切欠きと軸線方向で係合するように適合されたラッチであり、
該ラッチが：
前記転動位置で、回転方向にラッチを前記支持切欠きにおいて支持するために、前記支持切欠きの第１の接合面に当接するように適合された第１の側面と；
前記回転方向に前記転動式ディスクを前記ラッチにおいて支持するために、前記少なくとも１つの凹部の第２の接合面に当接するように適合された第２の側面と；
前記少なくとも１つの凹部の面と一致するように係合する又は適時に係合するべく適合された引掛部係合面と；
を含み、
該引掛部係合面が：
第１の湾曲面と、
第２の湾曲面と、
を有する、
請求項２に記載の転動式ディスク軸受。
【請求項６】
前記内側軸支面は、前記挿入位置において前記装着部品を挿入するように適合された少なくとも１つの挿入切欠きを含み；
前記転動式ディスクの少なくとも１つの凹部は、陽極回転軸の軸線方向に前記少なくとも１つの引掛部と係合させるために設けられており、それによって、前記転動式ディスクの転動動作を維持しつつ、前記支持構造体に関する回転運動に対して前記転動式ディスクを固定する、
請求項１〜５のいずれか一項に記載の転動式ディスク軸受。
【請求項７】
前記転動位置において、前記装着部品の軸線方向の幅は、前記転動式ディスクの軸線方向の幅よりも小さく、それによって、前記装着部品は、前記転動動作を維持しつつ、引掛部が前記少なくとも１つの凹部と係合することを可能にするように、転動式ディスクに対してオフセットされた位置に位置決めされている、
請求項６に記載の転動式ディスク軸受。
【請求項８】
前記装着部品は、前記装着部品が前記転動位置に位置決めされる間に、前記装着部品を前記軸線方向に向けて前記支持構造体に固定して取り付けるためのツールと係合するべく設けられた少なくとも１つの装着凹部を含み；及び／又は
前記内側軸支面が、前記軸線方向の第１の湾曲部と、前記軸線方向と直交する方向に第２の湾曲部とを有し；
第１の湾曲部の大きさが、第２の湾曲部の大きさに等しい；
請求項１〜７のいずれか一項に記載の転動式ディスク軸受。
【請求項９】
前記少なくとも１つの支持切欠きは、前記挿入位置において前記装着部品を挿入するように適合されている、
請求項２〜８のいずれか一項に記載の転動式ディスク軸受。
【請求項１０】
軸受システムであって、当該システムが：
シャフトの形状の支持構造体と；
Ｘ線源の回転陽極を半径方向に軸承するための外側軸受面を有する少なくとも１つのラジアル軸受部品と；
請求項１〜９のいずれか一項に記載の転動式ディスク軸受と；
を備え、
前記装着部品は、前記シャフトに固定して接続され、及び／又は、
前記シャフトは、前記Ｘ線源を冷却する冷却剤を受容するための空洞を含む、
軸受システム。
【請求項１１】
前記支持構造体における少なくとも１つの突起部をさらに含み；
該少なくとも１つの突起部は、前記少なくとも１つの凹部と係合するような少なくとも１つの引掛部として設けられている、
請求項１０に記載の軸受システム。
【請求項１２】
前記シャフトが、雄ネジを有し、
前記内側装着面が、係合位置に対して前記雄ネジと係合する雌ネジを有し、
前記装着部品は、前記シャフトにタイトな締付方法で装着することが可能とされ、及び／又は、
前記シャフトは、前記シャフトに対して前記装着部品のタイトな締付装着を可能にするように、前記係合位置において前記装着部品を前記シャフトに保持するように適合されたリテーナを含む、
請求項１０又は１１に記載の軸受システム。
【請求項１３】
Ｘ線管であって、当該Ｘ線管が：
陰極と；
回転陽極と；
前記回転陽極を駆動するためのロータと；
請求項１０〜１２のいずれか一項に記載の軸受システムと；
前記陰極、前記回転陽極、前記ロータ、及び前記軸受システムをハウジングするエンベロープと；
を含む、
Ｘ線管。
【請求項１４】
Ｘ線撮像システムであって、当該Ｘ線撮像システムが：
請求項１〜１３のいずれか一項に記載の装置を有するＸ線源と；
検出器と；
処理装置と；
被検体受容装置と；を含む、
Ｘ線撮像システム。
【請求項１５】
Ｘ線管についての請求項１〜１２のいずれか一項に記載の装置の使用。
【請求項１６】
請求項１〜９のいずれか一項に記載の転動式ディスク軸受をＸ線管のシャフトに対して装着する装着方法であって、当該装着方法が：
ａ）  挿入位置において、少なくとも１つの挿入切欠き内に前記装着部品を、外側軸支面の少なくとも１つの支持切欠きにおいて挿入するステップと；
ｂ）  前記転動式ディスクの前記内側軸支面が前記装着部品の前記外側軸支面と一致するような転動位置内において、装着部品を転動式ディスク内で旋回させるステップであって、それによって、前記転動式ディスクが、前記装着部品に関して全ての方向に転動動作を行うことが可能となる、前記旋回ステップと；
ｃ）  前記シャフト上の軸線方向に取り付けられた前記転動式ディスクの位置に対して前記装着部品を位置決めするステップと；
ｄ）  前記少なくとも１つの凹部を前記少なくとも１つの引掛部と係合させることによって、前記転動式ディスクの転動動作を維持しつつ、前記シャフトに関する回転運動に対して前記転動式ディスクを固定するステップと；
を含む、
装着方法。
【発明の詳細な説明】
【技術分野】
【０００１】
本発明はそれぞれ、転動式ディスク(tumble disc)軸受、この転動式ディスク軸受を備える軸受システム、この軸受システムを有するＸ線管、転動式ディスク軸受を備えるＸ線撮像システム、及びこれらのシステムに関し、さらに個々の転動式ディスク軸受をＸ線管のシャフトに装着するための装着方法に関する。
【背景技術】
【０００２】
例えば、回転陽極を有するＸ線管は、この回転陽極を軸承するための軸受システムを有しており、より具体的には、軸受の両側に軸支されたラジアル軸受及びアキシアル軸受を有する金属の流体潤滑システムを有している。
【０００３】
特許文献１には、流体軸受システムの摩擦損失を低減させるために転動式ディスク・アキシアル軸受システムを備えた回転陽極Ｘ線管が開示されている。転動式ディスク軸受システムは、内側軸受部材と外側軸受部材とを含み、この内側軸受部材は、３つの軸受部を有している。第１の軸受部又は第２の軸受部は、２つの軸受部材が回転する間に回転軸を中心にスイング動作を行うことができる。転動式ディスクは、シャフトの凹部と係合するピンを用いて静止して直立するシャフトに接続することができる。
【先行技術文献】
【特許文献】
【０００４】
【特許文献１】米国特許第６，０６４，７１９号明細書
【発明の概要】
【発明が解決しようとする課題】
【０００５】
製造が容易なＸ線源の回転陽極の軸受が必要とされている。
【０００６】
本発明の目的は、Ｘ線源の回転陽極ための、改善され、柔軟且つ効率的なアキシアル軸受を提供することである。
【課題を解決するための手段】
【０００７】
本発明の目的は、独立請求項の主題によって解決され、ここでさらに別の実施形態が、従属請求項に組み込まれている。本発明の以下に説明される態様は、転動式ディスク軸受、軸受システム、Ｘ線管、転動式ディスク軸受及びＸ線管用の軸受システムの使用、並びにそれぞれの転動式ディスク軸受をＸ線管のシャフトに装着する装着方法にも適用されることに留意されたい。
【０００８】
本発明の一態様によれば、転動式ディスク軸受は、Ｘ線源の回転陽極を軸線方向に軸承するための転動式ディスクと、この転動式ディスクを軸支するための装着部品とを備えている。この装着部品は、支持構造に取り付けるための内側装着面と外側軸支面とを有する。転動式ディスクは、外側軸支面と一致する内側軸支面を有している。装着部品は、内側軸支面が外側軸支面と一致するような転動位置において、転動式ディスク内に軸支されており、それによって、転動式ディスクは、装着部品に関して全ての方向に転動動作を行うことが可能となる。装着部品は、転動位置に直交する方向の挿入位置において、転動式ディスク内に挿入されるように適合されている。転動式ディスクの少なくとも１つの凹部は、陽極回転軸の軸線方向に少なくとも１つの引掛部(catch)を挿入させるとともに、この少なくとも１つの引掛部と係合させるために設けられており、それによって、転動式ディスクの転動動作を維持しつつ、支持構造体に関する回転運動に対して転動式ディスクを固定している。
【０００９】
本発明のさらに別の態様によれば、装着部品の外側軸支面が、少なくとも１つの引掛部を支持するように適合された少なくとも１つの支持切欠きを有しており、軸受が、転動式ディスクを固定するための少なくとも１つの引掛部を有している。少なくとも１つの支持切欠きは、挿入位置において装着部品を転動式ディスク内に挿入するように適合することができる。
【００１０】
本発明のさらに別の態様によれば、内側軸支面が、挿入位置において装着部品を挿入するように適合された少なくとも１つの挿入切欠きを有している。転動式ディスクの少なくとも１つの凹部は、陽極回転軸の軸線方向に少なくとも１つの引掛部と係合させるために設けられており、それによって、転動式ディスクの転動動作を維持しつつ、支持構造体に関する回転運動に対して転動式ディスクを固定している。
【００１１】
支持構造体が、回転陽極を冷却する冷却流体を受容するための空洞を組み込むことができるので、そのような転動式ディスク軸受は、Ｘ線源の回転陽極の効率的な冷却を可能にしており、また、そのような冷却は、支持構造体が、転動式ディスクを接続するための凹部又は貫通穴を有していないので可能となっている。転動式ディスクは、支持構造体をねじ係合等によって柔軟且つ効率的な方法で支持構造体に固定して取り付けるような装着部品を介して支持構造体に取り付けているので、支持構造体は、本発明による例えば凹部によって強度が低下されることはない。ここで転動式ディスクは、装着部品によって軸支されているが、この装着部品に関して全ての方向に転動式ディスクの転動動作を維持している。このような転動式ディスク軸受を組み立てるとともに軸受をシャフトに取り付けることにより、支持構造体の貫通穴や凹部と係合するピンによって転動式ディスクを支持構造体に取り付ける場合よりもコスト効率をより高くすることができる。支持構造体と、転動式ディスクと、装着部品とが、シャフトである支持構造体に転動式ディスクを取り付けるための貫通穴又は凹部によって強度が低下されることのない一体物の構造体として製造することができる。さらに、効率的な冷却は、このシャフトの長手方向軸に直交する方向に凹部を有していないが、シャフト軸の長手方向にのみ空洞を有するようにシャフトが設計されているので、Ｘ線管であるＸ線源の陽極を冷却するため空洞を有する管、具体的には軸支された両端に開口部を有する管として設計されたシャフトと係合するように適合されたこのような軸受によって可能とすることができる。
【００１２】
本発明の別の態様によれば、それぞれの転動式ディスク軸受をＸ線管のシャフトに取り付ける方法が提供されている。この方法は、挿入位置において、転動式ディスクの内側軸支面の少なくとも１つの挿入切欠き内に装着部品を、この装着部品の外側軸支面の少なくとも１つの支持切欠きにおいて挿入するステップを含む。転動式ディスクの内側軸支面が装着部品の外側軸支面に一致するような転動位置内において、装着部品を転動式ディスク内に旋回させるステップであって、それによって、転動式ディスクは、装着部品に関して全ての方向に転動動作を行うことが可能となる、旋回ステップを含む。シャフト上の軸線方向に取り付けられた転動式ディスクの転動位置に対して装着部品を位置決めするステップを含む。軸線方向のシャフトにおけるさらに別の態様によれば、転動式ディスクの少なくとも１つの凹部を少なくとも１つの引掛部に係合させることによって、転動式ディスクの転動動作を維持しつつ、シャフトに関する回転運動に対して転動式ディスクを固定するステップを含む。
【００１３】
この方法は、転動式ディスクと、装着部品と、シャフトとが、一体構造体として製造されるとともに簡単に組み立てることができるので、回転陽極を有するＸ線管のシャフトに転動式ディスク軸受を効果的に装着することができる。また、シャフトが、陽極を冷却するための空洞を含むシャフトとして設計することができるので、Ｘ線管の回転陽極の効率的な冷却を可能とすることができる。
【００１４】
本発明は、１つの転動式ディスク軸受、１つの軸受システム、１つのＸ線管、及び１つのＸ線撮像システムに限定されるものではなく、複数の転動式ディスク軸受、複数の軸受システム、複数のＸ線管、及び複数のＸ線撮像システムを含んでもよいことに留意されたい。
【００１５】
本発明による一態様では、転動式ディスク軸受には、Ｘ線源の回転陽極を軸線方向に軸承するための少なくとも１つの外側軸受面が設けられている。ここで転動式ディスクは、装着部品を介して支持構造体に取り付けられており、転動式ディスクは、転動式ディスクの少なくとも１つの凹部と係合する引掛部によって、支持構造体に関する回転運動に対して固定されている。転動式ディスクは、陽極が陽極回転軸の周りを回転する場合には、転動式ディスクの少なくとも１つの外側軸受面と、回転陽極の対応する少なくとも１つの軸受面とが整列するようにその転動式ディスク自体を調整するように適合されており、この調整は、装着部品に関する転動式ディスクの転動動作によって可能にされている。引掛部は、少なくとも１つの凹部において陽極回転軸の軸線方向に挿入することができる。
【００１６】
本発明のこれらの態様及び他の態様は、以下に説明される実施形態から明らかとなり、この実施形態を参照して説明される。
【図面の簡単な説明】
【００１７】
【図１】図１は、本発明の例示的な実施形態による転動式ディスク軸受の斜視図を模式的に示している。
【図２】図２は、本発明の別の実施形態によるＸ線源の回転陽極の支持構造体の軸受部品上の転動式ディスク軸受の断面図を模式的に示している。
【図３】図３は、図２の転動式ディスク軸受の一部の断面図を模式的に示している。
【図４】図４は、本発明の例示的な実施形態による転動式ディスク軸受を有する軸受システムの２つの斜視図と、１つの側面図とを模式的に示している。
【図５】図５は、本発明の例示的な実施形態による転動式ディスク軸受の斜視図を模式的に示している。
【図６】図６は、本発明の別の例示的な実施形態による転動式ディスク軸受の斜視図を模式的に示している。
【図７】図７は、転動位置の転動式ディスクに取り付けられた装着部品を有する図５又は図６の転動式ディスク軸受の斜視図を模式的に示している。
【図８】図８は、図６及び図７の転動式ディスク軸受の側断面図を模式的に示している。
【図９】図９は、図６〜図８による転動式ディスク軸受の正面断面図を模式的に示している。
【図１０】図１０は、本発明の例示的な実施形態による転動式ディスク軸受を有する軸受システムの分解斜視図を模式的に示している。
【図１１】図１１は、図１０による軸受システムの正面断面図を模式的に示している。
【図１２】図１２は、図１１による軸受システムの斜視図を模式的に示している。
【図１３】図１３は、本発明の別の例示的な実施形態による引掛部材(catch)の斜視図を模式的に示している。
【図１４】図１４は、本発明の別の実施形態による支持構造体上に転動式ディスク軸受を有する軸受システムの一部の側断面図を模式的に示している。
【図１５】図１５は、図１４の部分図である本発明の実施形態による支持構造体上に転動式ディスク軸受を有する軸受システムの側断面図を模式的に示している。
【図１６】図１６は、本発明の別の例示的な実施形態による転動式ディスク軸受を有する軸受システムの一部の斜視図を模式的に示している。
【図１７】図１７は、図１６の軸受システムの斜視図を全体図として模式的に示している。
【図１８】図１８は、本発明の別の例示的な実施形態によるＸ線源の回転陽極の支持構造体の軸受部品上の転動式ディスク軸受の側断面図を模式的に示している。
【図１９】図１９は、本発明の別の例示的な実施形態による軸受システムによって軸支されるＸ線源の回転陽極を有する図４の軸受システムの断面図を模式的に示している。
【図２０】図２０は、本発明の別の例示的な実施形態による図４の軸受システムを有するＸ線管の断面図を模式的に示している。
【図２１】図２１は、本発明の別の実施形態による図１〜３の転動式ディスク軸受及び図４による軸受システムをそれぞれ有するＸ線撮像システムの断面図を模式的に示している。
【図２２】図２２は、本発明の例示的な実施形態によるＸ線管のシャフトに転動式ディスク軸受を装着する装着方法のフローチャートを模式的に示している。
【図２３】図２３は、本発明の別の例示的な実施形態によるＸ線管のシャフトに転動式ディスク軸受を装着するさらに別の装着方法のフローチャート模式的に示している。
【図２４】図２４は、本発明の例示的な実施形態によるＸ線管のシャフトに転動式ディスク軸受を装着する装着方法のフローチャートを模式的に示している。
【図２５】図２５は、本発明の別の例示的な実施形態によるＸ線管のシャフトに転動式ディスク軸受を装着するさらに別の装着方法のフローチャートを模式的に示している。
【図２６】図２６は、本発明の別の例示的な実施形態によるＸ線管のシャフトに転動式ディスク軸受を装着するさらに別の装着方法のフローチャートを模式的に示している。
【図２７】図２７は、本発明の別の例示的な実施形態によるＸ線管のシャフトに転動式ディスク軸受を装着するさらに別の装着方法のフローチャートを模式的に示している。
【発明を実施するための形態】
【００１８】
本発明の例示的な実施形態が、以下の図面において説明される。
図１には、Ｘ線源、具体的にはＸ線管の回転陽極（図示せず）を軸線方向に軸承するための転動式ディスク(tumble disc)１０２と、この転動式ディスクを軸支するための装着部品１２０とを有する転動式ディスク軸受１００が示されている。装着部品１２０は、支持構造体（図示せず）に取り付けるための内側装着面１２２と、外側軸支面１２４とを有する。転動式ディスク１０２は、外側軸支面１２４と一致する内側軸支面１０４を有している。装着部品１２０は、内側軸支面１０４が外側軸支面１２４と一致するような転動位置（図示せず、図２参照）において、転動式ディスク１０２内に軸支されており、それによって、転動式ディスク１０２は、装着部品１２０に関して全ての方向に転動動作を行うことが可能となる。装着部品１２０は、転動位置１４０に直交する方向の挿入位置１４２において、転動式ディスク１０２内に挿入されるように適合されている。内側軸支面１０４は、互いに対向するように配置された２つの挿入切欠き１０６を含むように適合されるとともに、転動位置に直交する方向の挿入位置１４２において、装着部品１２０を転動式ディスク１０２内に挿入して、直交方向１６６となるように適合されている。また、挿入位置１４２において装着部品１２０を挿入するように適合された少なくとも１つの挿入切欠き１０６を設けることもできる。
【００１９】
本発明によれば、少なくとも１つの凹部１１０が、おそらくは陽極回転軸１６２の軸線方向に、少なくとも１つの引掛部(catch)（図示せず、図２及び図３参照）と係合させるために転動式ディスク１０２に設けられており、それによって、転動式ディスク１０２の転動動作を維持しつつ、支持構造体に関する回転運動１６４に対して転動式ディスク１０２を固定している。転動式ディスク１０２は、図１に図示された回転運動１６４とは逆方向の回転運動に対して固定させることもできる。本発明のさらに別の態様によれば、転動式ディスク１０２の少なくとも１つの凹部１１０は、少なくとも１つの引掛部材(catch)を挿入するために設けられている。
【００２０】
転動式ディスク１０２は、図１において、Ｘ線源の回転陽極を軸線方向に軸承するための少なくとも１つの外側軸受面１１４を有することができる。
【００２１】
本発明の別の態様によれば、転動式ディスク１０２は、陽極が陽極回転軸１６２の周りを回転する場合に、転動式ディスク１０２の少なくとも１つの外側軸受面１１４と回転陽極の対応する少なくとも１つの軸受面（図示せず、図２参照）とが整列するようにその転動式ディスク自体を調節する。ここで、この調整は、転動動作によって可能とされている。
【００２２】
装着部品１２０は、装着リングとすることができ、転動式ディスク軸受１００は、転動式ディスク流体軸受とすることができる。
【００２３】
本発明のさらに別の態様によれば、少なくとも１つの凹部１１０には、少なくとも１つの挿入切欠き１０６が設けられている。
【００２４】
少なくとも１つの凹部１１０は、少なくとも１つの挿入切欠き１０６とは異なる転動式ディスクにおける凹部とすることができ、具体的には、本発明の別の態様による転動式ディスク（１０２）における軸線方向の凹部とすることができる。
【００２５】
本発明の別の実施形態によれば、装着部品１２０は、この装着部品１２０が転動位置に位置決めされる間に、装着部品１２０を軸線方向１６０に向けて支持構造体に固定して取り付けるためのツールと係合するべく設けられた少なくとも１つの装着凹部１２６を有している。
【００２６】
本発明の別の態様によれば、内側軸支面１０４は、軸線方向１６０の第１の湾曲部１６８と、軸線方向１６０に直交する直交方向１６６に第２の湾曲部１７０とを含む。第１の湾曲部１６８の大きさは、第２の湾曲部１７０の大きさに等しい。
【００２７】
本発明のさらに別の態様によれば、外側軸支面１２４は、軸線方向１６０の第１の湾曲部と一致する面(matching curvature)１７２と、軸線方向１６０に直交する方向の第２の湾曲部と一致する面１７４とを含み、転動位置において、第１の湾曲部１６８が、第１の湾曲部と一致する面１７２に対応し且つ第２の湾曲部１７０が、第２の湾曲部と一致する面１７４に対応し、それによって、転動式ディスク１０２は、装着部品１２０に関して全ての方向に転動動作を行うことが可能となる。転動式ディスク１０２は、装着部品１２０に関して、外側軸支面１２４上の全ての方向に転動動作を行うことが可能となる。第１の湾曲部１６８の大きさは、第１の湾曲部と一致する面１７２の大きさに一致し、第２の湾曲部１７０の大きさは、第２の湾曲部と一致する面１７４の大きさと一致することができる。
【００２８】
本発明の別の態様によれば、第２の湾曲部１７０の大きさは、第２の湾曲部と一致する面１７４の大きさと基本的に一致し、それによって、均一な空間（図３も参照）又は均一な距離（図３も参照）が、内側軸支面１０４と外側軸支面１２４との間に提供される。
【００２９】
本発明の別の態様によれば、第１の湾曲部１６８の大きさは、第２の湾曲部１７０の大きさとは異なる。
【００３０】
本発明のさらに別の例示的な実施形態によれば、内側軸支面１０４は、第１の球の半径１８２と陽極回転軸１６２上の第１の球の中心点１８４とを有する第１の球の仮想的な第１の球面の一部となる。転動位置において、外側軸支面１２４は、第２の球の半径１８６と陽極回転軸１６２上の第２の球の中心点１８８とを有する第２の球の仮想的な第２の球面の一部となる。第１の球の中心点１８４と第２の球の中心点１８８とのうちの１つが、陽極回転軸１６２上に転動式ディスク１０２の転動点１９０を形成する。
【００３１】
本発明の別の態様によれば、転動式ディスク１０２は、転動位置１４０において転動点１９０の周りの全ての方向に転動動作を行うことを可能とする。
【００３２】
本発明のさらに別の例示的な実施形態によれば、内側軸支面１０４は、凹形状を有しており、外側軸支面１２４は、内側軸支面１０４の凹形状と一致する凸形状を有している。
【００３３】
本発明のさらに別の態様によれば、転動式ディスク・アキシアル軸受１００の転動式ディスク１０２は、ボール形状の装着リング１２０によって支持構造体上に、具体的には静止して直立するシャフト上に接続することができ、それによって、転動式ディスク１０２と装着部品１２０との間のボール形状接続は、転動式ディスク１０２が、装着リング１２０のボール形状上の全ての方向に転動動作を行わせることが可能なように提供される。転動式ディスク１０２は、装着リング１２０の外向きのボール形状に嵌合するような内向きのボール形状を有することができる。転動式ディスク１０２は、装着リング１２０を装着するための切欠き１０６を有することができる。転動式ディスク１０２はさらに、支持構造体、具体的にはシャフトの引掛部で回転をロックするための少なくとも１つの切欠き１１０を有することができる。装着リング１２０に取り付けられた転動式ディスク１０２を備える転動式ディスクシステムは、それぞれのツールによって装着リング１０２の２つの装着凹部を軸線方向にアクセスさせることによって装着することができる。
【００３４】
本発明の別の態様によれば、転動式ディスク１０２は、装着リング１２０上のボール形状に接続され、それによって、転動式ディスク１０２は、支持構造体、具体的にはシャフトの理想的な中心の点（位置）上の全ての方向に移動することができる。転動式ディスク１０２と装着リング１２０とからなるシステムは、ネジを用いてシャフトに固定することができ、具体的には陽極回転１６４の方向にタイトに締め付けるように固定される。
【００３５】
本発明の別の態様によれば、転動式ディスク１０２は、互いに対向する側に配置され且つ装着部品１２０を装着するように適合された２つの切欠き１０６を有しており、この切欠き１０６はまた、転動式ディスク１０２の回転運動をシャフト上に固定するために使用される。
【００３６】
図２には、図１による転動式ディスク軸受１００が例示されており、この軸受は、Ｘ線管等のＸ線源の回転陽極２１６の一部からなる支持構造体１９４，２０４、具体的にはシャフト２０４に装着される。この支持構造体１９４，２０４は、Ｘ線管の管エンベロープ（図示せず、図４参照）に対して片側又は両側に固定することができる。外側軸受面２００を有する２つのラジアル軸受部品１９６，１９６が、Ｘ線源の回転陽極２１６を半径方向に軸承するために設けられている。少なくとも１つの突起部１５０，２０２が、支持構造体１９４，２０４に設けられており、ここで、装着部品１２０が、シャフト２０４に固定して取り付けられ、少なくとも１つの突起部１５０，２０２は、図１に示される少なくとも１つの凹部１１０と係合するような少なくとも１つの引掛部１５０として設けられている。
【００３７】
本発明の一態様よれば、シャフト２０４は、Ｘ線源を冷却する冷却剤を受容するための空洞２０６と、回転陽極２１６とをそれぞれ含む。空洞２０６は、図２に示されるような貫通穴としてもよいし、又はシャフト１９４，２０４の一方の側で止まっている止まり穴としてもよい。冷却剤は、油や、水系液体又は液体金属等の液状剤としてもよい。冷却剤は、空気や窒素等のガス剤としてもよい。
【００３８】
本発明の別の態様によれば、転動式ディスク１０２は、陽極２１６が回転軸１６２の周りを回転する場合に、転動式ディスク１０２の少なくとも１つの外側軸受面１１４と、回転陽極２１６の対応する少なくとも１つの軸受面２２２，２２２とが整列するようにその転動式ディスク自体を調節する。ここで、この調整は、図１に図示されるような本発明による転動動作によって可能となる。
【００３９】
本発明のさらに別の実施形態によれば、シャフト２０４は、雄ネジ２０８を有し、装着部品１２０の内側装着面１２２は、係合位置に対して雄ネジ２０８と係合するための雌ネジ（図示せず、図３参照）を有する。装着部品１２０は、シャフト２０４にタイトな締付方法で装着することが可能とされる。換言すれば、転動式ディスク１０２と装着部品１２０とからなるシステムは、ネジを用いてシャフト２０４上に固定され、ここでネジは、陽極回転運動１６４の方向にタイトに締め付けられる。
【００４０】
本発明の別の実施形態によれば、装着部品１２０をシャフトにタイトな締付けで装着することを可能としつつ、その係合位置において装着部品１２０をシャフト２０４に保持するために、シャフト２０４は、ナット、溝、及び舌形状係止システムからなる群から選択されるリテーナ（図示せず）を備え、或いはシャフト２０４と装着部品１２０との間を溶接することを含む。このリテーナは、本発明の別の態様による引掛部１５０の形状として突起部１５０，２０２に設けられている。
【００４１】
図３には、図２による転動式ディスク軸受の拡大部分が例示されており、ここで装着部品１２０の内側装着面１２２の上述した雌ネジ２１０が示されている。
【００４２】
転動式ディスク１０２と装着部品１２０とが、転動位置１４０において例示されており、本発明のさらに別の実施形態によれば、装着部品１２０の軸線方向の幅１３２は、転動式ディスク１０２の軸線方向の幅１３０よりも小さい幅であり、それによって、装着部品１２０は、転動動作を維持しつつ、引掛部１５０が少なくとも１つの凹部（図示せず。図１参照）と係合することを可能にするように、転動式ディスク１０２に対してオフセット距離１３４においてオフセットされて位置決めされている。
【００４３】
引掛部１５０は、本発明の一態様よる支持構造体（図示せず、図２参照）の一部とすることができる。
【００４４】
本発明のさらに別の態様によれば、引掛部１５０は、装着部品１２０の一部とすることができる。
【００４５】
本発明の別の態様によれば、引掛部１５０は、装着部品１２０と支持構造体（図示せず、図２参照）との間に装着することができる別パーツでとすることができる。引掛部１５０は、図２に図示されるようなシャフトである支持構造体上で移動又は配置されたリングとして形成することができる。
【００４６】
１つのオフセットが、図３の例示と比較して転動式ディスク１０２の反対側に提供されてもよく、或いは転動式ディスク１０２の中心点において装着部品１２０を位置決めするときに、２つのオフセットが提供されてもよいことに留意されたい。オフセット距離１３４は、従って、図３による例示と比較して転動式ディスク１０２の反対側に提供され、或いは装着部品１２０が、転動式ディスク１０２の中心点又は中心に位置決めされる場合には、転動式ディスク１０２の両側に提供することができる。
【００４７】
図３には、上述した本発明の実施形態及び態様について説明されたように均一な空間１７６、均一な距離１７８がそれぞれ例示されており、これらは内側軸支面１０４と外側軸支面１２４との間に提供されている。内側軸支面１０４の第１の湾曲部の大きさが、基本的に上述し且つ図３に例示されるように、装着部品１２０の外側軸支面１２４の第１の湾曲部と一致する面の大きさと一致することに留意されたい。上述した実施形態及び図３において説明され且つ例示された態様は、図１及び図２に説明された実施形態及び態様に組み込むことができる。
【００４８】
図４には、Ｘ線源の回転陽極を半径方向に軸承するための外側軸受面２００を有する少なくとも１つのラジアル軸受部品１９６，１９６と、本発明のさらに別の実施形態による支持構造体１９４，２０４の少なくとも１つの突起部２０２，１５０とを有するシャフト２０４の形状の支持構造体１９４，２０４を含む軸受システム１９２の斜視図が例示されている。
【００４９】
本発明のさらに別の実施形態によれば、少なくとも１つの突起部２０２，１５０は、転動式ディスクの少なくとも１つの凹部と係合させるように適合された少なくとも１つの引掛部１５０として設けられており、それによって、図１〜３に例示されるように転動式ディスクの転動動作を維持しつつ、支持構造体１９４，２０４に関する回転運動に対して転動式ディスクを固定している。
【００５０】
空洞２０６が、Ｘ線源とＸ線源の回転陽極とをそれぞれ冷却する冷却剤を受容するために、本発明の別の実施形態に従ってシャフト２０４に設けられている。
【００５１】
上述した斜視図の下方に、図１〜図３による転動式ディスク軸受１００を有した軸受システム１９２の断面図が示されている。軸受１００の装着部品が、シャフト２０４に固定して取り付けられており、引掛部１５０の形状の少なくとも１つの突起部２０２，１５０が、転動式ディスク軸受１００の少なくとも１つの凹部と係合している。
【００５２】
上述した軸受システム１９２の断面図の下方に、図１〜図３による転動式ディスク１００を有する軸受システム１９２の別の斜視図が、図４に示されている。
【００５３】
図４の全ての例示は、軸受システム１９２を図示することに留意されたい。本発明の一実施形態によれば、シャフト２０４は、Ｘ線源を冷却する冷却剤を受容するための空洞２０６を有する。冷却剤は、油、水系液体、液体金属等の液状剤及び／又は空気又は窒素等のガス剤としてもよい。シャフト２０４が雄ネジを有し、転動式ディスク軸受１００の内側装着面が係合位置に対して雄ネジと係合するための雌ネジを有する。装着部品は、本発明のさらに別の態様によるシャフト２０４にタイトな締付方法で装着することが可能とされている。
【００５４】
本発明の別の態様によれば、転動式ディスク軸受１００の装着部品は、圧入嵌合、溶接固定、追加のナットを用いる固定又は短いボルトを用いる固定による固定具を用いることにより、シャフト２０４に取り付けることができる。
【００５５】
本発明のさらに別の実施形態によれば、シャフト２０４は、装着部品をシャフト２０４にタイトな締付けで装着することを可能にするために、係合位置において装着部品をシャフト２０４に保持するように適合された上述したリテーナを備えることができる。
【００５６】
シャフト２０４は、冷却液を受容し且つ本発明の別の態様によるシャフトの片側又は両側で軸支された穴を有することができる。
【００５７】
本発明のさらに別の態様によれば、シャフト２０４は、転動式ディスク１０２を取り付けた位置に対して装着部品１２０を組み込むような転動式ディスクシステムを接続するためのネジを備えている。
【００５８】
本発明の別の態様によれば、シャフト２０４は、転動式ディスク１０２の回転をロックするための引掛部１５０を備えることができる。
【００５９】
図５には、Ｘ線源の回転陽極（図示せず、図１０，図１８〜２０を参照）を軸線方向に軸承するための転動式ディスク１０２と、この転動式ディスクを軸支するための装着部品１２０とを有する転動式ディスク軸受１００が例示されている。装着部品１２０は、支持構造体（図示せず、図１０，１８〜２０参照）に取り付けるための内側装着面１２２を有し、また外側軸支面１２４を有する。転動式ディスク１０２は、外側軸支面１２４と一致する内側軸支面１０４を有する。装着部品１２０は、内側軸支面１０４が外側軸支面１２４と一致するような転動位置（図示せず、図７参照）において、転動式ディスク１０２内に軸支されており、それによって、転動式ディスク１０２は、装着部品１２０に関して全ての方向に転動動作を行うことが可能となる。装着部品１２０は、転動位置１４０に直交する方向の挿入位置１４２において転動式ディスク１０２内に挿入されるように適合されている。
【００６０】
本発明によれば、転動式ディスク１０２の少なくとも１つの凹部６１０は、陽極回転軸１６２の軸線方向１６０に少なくとも１つの引掛部（図示せず、図６、図８参照）を挿入させるとともに、少なくとも１つの引掛部と係合させるために設けられており、それによって、転動式ディスク１０２の転動動作を維持しつつ、支持構造体に関する回転運動１６４に対して転動式ディスク１０２を固定している。
【００６１】
本発明の別の態様によれば、外側軸支面１２４は、少なくとも１つの引掛部材６５０を支持するように適合された少なくとも１つの支持切欠き６０６を有する。この少なくとも１つの支持切欠き６０６は、図５に示されるように、挿入位置１４２において装着部品１２０を挿入するように適合されている。
【００６２】
転動式ディスク内の装着部品１２０は、軸線方向１６０に直交する直交方向１６６の周りを陽極回転軸１６２に向けて引掛部配列位置１４１（図６参照）内で旋回する。この図では、転動式ディスク１０２の内側軸支面１０４の一部が、装着部品１２０の外側軸支面１２４と一致し、且つ少なくとも１つの引掛部材６５０を支持するための外側軸支面１２４の支持切欠き６０６が、転動式ディスク１０２の外側にある。
【００６３】
支持切欠き６０６は、装着部品１２０が、転動式ディスク１０２の最小内径寸法を有するように設計することができ、それによって、装着部品１２０は、転動式ディスク１０２内に切欠きを必要とすることなく転動式ディスク１０２に挿入することができる。これは、転動式ディスクのよりシンプルでより効率的な製造をもたらすことができる。
【００６４】
図５による支持切欠き６０６は、図６に示されるような引掛用凹部５５０と、ボール形状の引掛部材６５０又は別の形状を有する引掛部材とを有することができ、この別の形状は、転動位置において転動式ディスク１０２の挿入切欠き６１０と装着リング１２０との間の引掛用凹部５５０において支持切欠き６０６に位置決めすることができるような形状である。
【００６５】
図６によれば、回転方向の運動をブロックするための引掛部材は、本発明の一態様による装着部品１２０と転動式ディスク１０２との間のボールとして設計することができ、ここで、転動式ディスク１０２は、ボールの装着を可能とする特別な切欠き６１０を有している。装着部品１２０又は装着リング１２０と、転動式ディスク１０２との間の引掛部材用ボールが、軸受の回転軸１６２に垂直な直交軸１６６において装着リング１２０を転動式ディスク１０２に対して回転させることにより、装着リング１２０に埋め込まれる。
【００６６】
従って、図１の転動式ディスク軸受の代替的な解決法は、転動式ディスク１０２を有する転動式ディスク・アキシアル軸受ユニットを提案する図５及び図６による実施形態によって提案されており、ここで転動式ディスクは、全ての方向に運動を可能にするボール形状リングの上に静止して直立するシャフトに接続されている。軸受の回転方向１６４が、ボール形状であり且つ転動式ディスク軸受１００の一部である引掛部材によってブロックされる。本発明のこの代替的な実施形態は、回転方向１６４の運動と軸受をシャフトに対して固定することをブロックするために、引掛部材等の転動式ディスク軸受１００のパーツの装着を提案している。このような転動式ディスク軸受を有する転動式ディスクシステムは、ツールがシャフトに対して軸線方向のみにアクセスするように装着することができる。
【００６７】
本発明の別の態様によれば、装着部品１２０は、装着部品１２０が、転動位置１４０に位置決めされる間に、装着部品１２０を軸線方向１６０に向けて支持構造体（図示せず）に固定して取り付けるためのツールと係合するべく設けられた少なくとも１つの装着凹部１２６を有する。
【００６８】
本発明のさらに別の態様によれば、図６〜１２，図１４〜１８の実施形態による内側軸支面１０４は、軸線方向１６０の第１の湾曲部１６８と軸線方向１６０に直交する方向の第２の湾曲部１７０とを有し、且つ第１の湾曲部１６８の大きさは、第２の湾曲部１７０の大きさに等しい（図１参照）。
【００６９】
本発明の別の態様によれば、図６〜１２、図１４〜１８の実施形態による転動式ディスク軸受は、挿入位置１４２において装着部品１２０を挿入するように適合された少なくとも１つの切欠き１０６を有する転動式ディスク１０２の内側軸支面１０４を有している。転動式ディスク１０２の少なくとも１つの凹部１１０は、陽極回転軸１６２の軸線方向１６０の少なくとも引掛部１５０と係合させるために設けられており、それによって、転動式ディスク１０２の転動動作を維持しつつ（図１〜３参照）、支持構造体１９４，２０４に関する回転運動１６４に対して転動式ディスク１０２を固定している。転動位置１４０において、装着部品１２０の軸線方向の幅１３２は、転動式ディスク１０２の軸線方向の幅１３０よりも小さくすることができ、それによって、装着部品１２０は、転動動作を維持しつつ（図３参照）、引掛部１５０が少なくとも１つの凹部１１０と係合することを可能とさせるように、転動式ディスク１０２に対してオフセットして位置決めされている。従って、図６〜１８による例示的な代替実施形態及び図１〜４による実施形態は、互いに
組み合わせることができる。
【００７０】
図６には、図５による転動式ディスク軸受の斜視図が示されており、支持切欠き６０６は、少なくとも１つの引掛部材６５０を支持するための少なくとも１つの引掛用凹部５５０を含む。
【００７１】
本発明の一態様よれば、転動式ディスク１０２を固定するための少なくとも１つの引掛部材６５０が設けられており、この少なくとも１つの引掛部材６５０は、少なくとも１つの凹部６１０の面と一致するように（図示せず、図８参照）係合する又は適時に係合するように適合された引掛部係合面６５２を有している。この係合面６５２は、第１の湾曲部と第２の湾曲部とを有することができ、又は図６に示されるような球の形状を有することができる。
【００７２】
ボール形状の引掛部材を有する図６によるこのような転動式ディスク軸受は、装着部品１２０の外側軸支面１２４の支持切欠き６０６内に具体的には引掛用凹部５５０内に軸支されている引掛部材等が、支持構造体に関する回転運動１６４に対して転動式ディスク１０２を固定するために、転動式ディスク１０２の少なくとも１つの凹部６１０と適時に係合するときに、転動式ディスクの最適化された転動動作を可能にすることができる。
【００７３】
図７には、内側軸支面が外側軸支面と一致するような転動位置１４０において、転動式ディスク１０２内に軸支された装着部品１２０を有する転動式ディスク軸受の斜視図が示されており、この転動式ディスク１０２は、装着部品１２０に関して全ての方向に転動動作を行うことが可能となっている。転動式ディスク１０２の凹部６１０は、少なくとも１つの引掛部材（図示せず、図６参照）と係合するために設けられており、それによって、転動式ディスク１０２のタンブル転動動作を維持しつつ、支持構造体（図示せず）に関する回転運動１６４に対して転動式ディスク１０２を固定している。従って、軸受の回転方向１６４が、引掛部材によってブロックされる。装着部品１２０は、装着部品１２０を移動させることにより、転動位置１４０に直交する方向の挿入位置１４４において、転動式ディスク１０２（図５参照）内に挿入され、且つ半径方向１６５の垂直な方向の周りに装着部品１２０を回転させる。
【００７４】
図８には、図６の転動式ディスク１００の側断面図が模式的に示され、図９には、図６の転動式ディスク１００の正面断面図が模式的に示されている。複数の支持切欠き６０６のうちの１つは、少なくとも１つの引掛部材６５０を支持するための引掛用凹部５５０を有している。少なくとも１つの引掛用凹部５５０は、転動位置１４０で、装着部品の半径方向１６５に少なくとも１つの引掛部材６５０を支持するための底面５５１と、転動位置１４０で、回転陽極の軸線方向１６０に且つ回転方向１６４に少なくとも１つの引掛部材６５０を装着部品１２０において支持するための周囲面５５２とを有する円筒形状を有している。少なくとも１つの引掛部材６５０は、少なくとも１つの引掛部材６５０を少なくとも１つの切欠き６０６において支持するように適合された引掛部材支持面６６２を有する。この引掛部材支持面６６２は、図６、図８及び９に示されるような円筒形状を有することができ、この支持面は、転動位置１４０で、少なくとも１つの引掛部材６５０を底面５５１に半径方向に支持するように適合された引掛部材の底面５５１と、転動位置１４０で、少なくとも１つの引掛部材６５０を周囲面５５２において軸線方向に回転可能に支持するように適合された引掛部材周囲面５５２とを有している。少なくとも１つの引掛部材６５０は、少なくとも１つの凹部６１０の挿入部分６１４において軸線方向１６０に挿入することができる。
【００７５】
本発明の一態様によれば、転動式ディスク軸受は、転動式ディスク１０２を固定するために少なくとも１つの引掛部材６５０を有し、この引掛部材６５０は、少なくとも１つの凹部６１０の面６１２と一致するように係合する又は適時に係合するような引掛部係合面６５２を有する。この係合面６５２は、第１の湾曲部と第２の湾曲部とを有することができ、又は図６、図８及び９に示されるような球形状を有するボール状とすることができる。転動式ディスク１０２は、装着リングとすることができる内側装着部品１２０に対して軸受の回転方向１６４において引掛部材６５０によってブロックされ、このような装着リングは、回転陽極のシャフトに固定され、転動式ディスクは、このシャフトに対してブロックされる。
【００７６】
図１０には、軸受システム１９２の断面分解図が示されており、このシステムは、シャフト２０４を有する支持構造体１９４，２０４と、Ｘ線源（図示せず）の回転陽極（図示せず）を半径方向に軸承するための外側軸受面２００を有する少なくとも１つのラジアル軸受部品１９６と、シャフト２０４に固定して取り付けられた装着部品１２０を有する転動式ディスク軸受とを備えており、ここでシャフト２０４は、Ｘ線源２１２（図２０参照）を冷却する冷却剤を受容するための空洞２０６を有している。シャフト２０４はまた、本発明の一態様によるＸ線源を冷却する冷却剤を受容するための空洞を有しないこともある。このシステム１９２は、支持構造体１９４，２０４に少なくとも１つの突起部（図１０には示されないが、図３、４に示される）を有することができ、その突起部は、転動式ディスク１０２の少なくとも１つの凹部１０６，６１０と係合するような少なくとも１つの引掛部として設けられている。転動式ディスク１０２の内側軸支面１０４は、挿入位置において装着部品１２０を挿入するように適合された少なくとも１つの挿入切欠き１０６，６１０を有する。
【００７７】
本発明の一態様よれば、少なくとも１つの引掛部材６５０は、転動式ディスク１０２を固定するために設けられており、この引掛部材６５０は、転動位置で、少なくとも１つの引掛部材６５０を支持切欠き６０６において軸線方向１６０に支持するために、支持切欠き６０６の少なくとも１つの凹部１２８，１２９と係合するように適合された少なくとも１つのリンク６５６，６５８を有する。引掛部材６５０はさらに、転動位置で、少なくとも１つの引掛部材６５０を支持切欠き６０６において回転方向１６４に支持するために、支持切欠き６０６の第１の接合面６０９（図１１参照、図１２）に当接するように適合された第１の側面６５４を含む。引掛部材６５０はさらに、転動式ディスク１０２を少なくとも１つの引掛部材において回転方向１６４に支持するために、凹部６１０の第２の接合面６７０（図１１、図１２を参照）に当接するように適合された第２の側面６５５を含む。
【００７８】
図１０による転動式ディスク軸受を有する軸受システムの正面断面図及び斜視図が、図１１及び図１２に例示されるように、第１の側面６５４と、第２の側面６５５と、第１の接合面６０９と、第２の接合面６７０とが、回転方向１６４に直交する直交方向１６６に延びるとともに、転動位置において陽極回転軸１６２に向かって延びている。少なくとも１つの引掛部材６５０はさらに、転動位置１４０で、少なくとも１つの引掛部材６５０を支持切欠き６０６の基部において半径方向１６５に支持するように適合された引掛部材の底面６６２（図１３参照）を有する。
【００７９】
本発明のさらに別の態様によれば、少なくとも１つのリンク６５６，６５８は、舌形状突起係止部とすることができる。各リンク６５６，６５８は、軸線方向１６０に直交する直交方向１６６に且つ陽極回転軸１６２に向けてリンク６５６を移動させることによって、対応する少なくとも１つの係止凹部１２８，１２９と係合するように適合することができる。第１の側面６５４は、転動式ディスク１０２の角運動を容易にさせるために、第１の接合面６０９に適時に当接するように適合された湾曲面を有することができる。第２の側面６５５は、第２の接合面６７０に適時に（場合によっては２点で）当接するように適合することができる。従って、支持構造体１９４，２０４に固定するように接続可能である装着部品１２０に関する回転運動１６４に対してブロックしつつ、転動式ディスク１０２がその転動動作を維持することが有効に可能となるような引掛部材の三点転動支持が、転動式ディスク１０２の第２の接合面６７０に対して第２の側面６５５において二点で当接する引掛部材６５０によって、且つ転動式ディスクの角運動を容易にさせるために装着部品１２０の第１の接合面６０９に対して引掛部材６５０の第１の側面６５４を介して適時に当接する引掛部材６５０によって、提供されている。
【００８０】
一方のリンク６５８は、別のリンク６５６より長くすることができ、それによって、転動位置において支持切欠き６０６にリンクを挿入するときに、より長いリンク６５８は、挿入位置において脱落しないように引掛部材６５０を装着部品１２０において軸線方向に支持するために、装着部品１２０のそれぞれの係止凹部１２９において係合することができる。また、より短いリンク６５６は、挿入方向（図１４、１５をさらに参照）において少なくとも１つの引掛部材６５０を軸線方向１６０に固定又は支持するために、装着部品１２０の係止凹部１２８において陽極回転軸１６２に向けて垂直方向又は半径方向１６６に曲げることができる。
【００８１】
図１４及び図１５には、図１０による転動式ディスク軸受１００を有する軸受システム１９２の側断面図が模式的に示されている。ここで少なくとも１つのリンク６５６とそれぞれの係止凹部１２８，１２９とを有する引掛部材６５０が、図１４に示されており、装着部品１２０の第１の接合面６０９と転動式ディスク１０２の第２の接合面６７０とが、図１５に例示されている。
【００８２】
図１６には、本発明のさらに別の実施形態による転動式ディスク軸受１００を有する軸受システム１９２の一部の斜視図が模式的に示されている。図１７には、図１６による転動式ディスク軸受１００を有する軸受システム１９２の全体部分の斜視図が模式的に示されている。少なくとも１つの引掛部材６５０は、転動式ディスク１０２を固定するために設けられており、転動位置において、少なくとも１つの支持切欠き５５０，６０６が、軸線方向１６０に延びている。少なくとも１つの引掛部材６５０は、支持切欠き５５０，６０６と軸線方向において係合するように適合されたラッチ６６４である。このラッチ６６４は、転動位置１４０で、回転方向１６４にラッチ６６４を支持切欠き６０６において支持するために、支持切欠き６０６の第１の接合面に当接するように適合された第１の側面６５４を含む。ラッチ６６４はさらに、回転方向１６４に転動式ディスク１０２をラッチ６６４において支持するために、少なくとも１つの凹部１０６，６１０の第２の接合面に当接するように適合された第２の側面６５５を含む。ラッチ６６４はさらに、少なくとも１つの凹部１０６，６１０の面と一致すように係合する又は適時に係合するように適合された引掛部係合面６５２を有する。この引掛部係合面６５２は、支持構造体１９４，２０４に関する回転運動１６４に対して転動式ディスク１０２を固定しつつ、転動式ディスク１０２の転動動作を可能にするような第１の湾曲部と第２の湾曲部とを含むことができる。第１の湾曲面の大きさは、転動式ディスク１０２の内側軸支面１０４の第１の湾曲部１６８の大きさと一致してもよく、第２の湾曲面の大きさは、内側軸支面１０４の第２の湾曲部１７０の大きさに一致してもよい（図１も参照）。第１の側面６５４と、第２の側面６５５と、第１の接合面と、第２の接合面とは、回転方向１６４に直交する直交方向１６６に延び、且つ転動位置において陽極回転軸１６２に向かって延びている。
【００８３】
本発明の一態様よれば、ラッチ６６４は、支持切欠き６０６において装着部品１２０に溶接するように適合される。ラッチ６６４は、転動式ディスク１０２の転動動作を維持しつつ、支持構造体１９４，２０４に関する回転運動１６４に関して転動式ディスク１０２を固定するように適合された、くさびとして、ブロックとして、ピンとして、シリンダとして又は他の構造体として設計することができる。
【００８４】
図１８には、図５〜図１７に示された例示的な実施形態による転動式ディスク軸受１００を有する軸受システム１９２の側断面図が示されている。図１８による軸受システム１９２は、シャフト２０４の形状の支持構造体１９４，２０４と、少なくとも１つのラジアル軸受部品１９６と、Ｘ線源（図示せず）の回転陽極２１６を半径方向に軸承するために外側軸受面２００とを有する。装着部品１２０は、シャフト２０４に固定して取り付けられている及び／又はシャフト２０４は、Ｘ線源を冷却する冷却剤を受容するための空洞２０６を有する。
【００８５】
本発明の一態様によれば、少なくとも１つの突起部が、支持構造体に設けられており（図３、４に示す）、この少なくとも１つの突起部は、少なくとも１つの凹部と係合させるための少なくとも１つの引掛部として設けられおり、それによって、転動式ディスクの回転運動を維持しつつ、支持構造体に関する転動動作に対して転動式ディスクを固定している。
【００８６】
本発明のさらに別の態様によれば、シャフト２０４は雄ネジ２０８を有し、内側装着面は、係合位置に対して雄ネジ２０８と係合するための雌ネジを有する。装着部品１２０は、シャフト２０４にタイトな締付方法で装着することが可能になる。シャフト２０４は、シャフト２０４に対して装着部品１２０のタイトな締付装着を可能にするような係合位置において装着部品１２０をシャフト２０４に保持するように適合されるリテーナを有する。
【００８７】
図１９には、回転陽極２１６を駆動するためのロータ２１８を有するＸ線源の回転陽極２１６と、図１〜３に図示された本発明の例示的な実施形態による転動式ディスク１００を有するような図４に図示された本発明の例示的な実施形態による軸受システム１９２とが示されている。Ｘ線源の回転陽極２１６を半径方向に軸承するために外側軸受面２００を有する２つのラジアル軸受部品１９６，１９６が、本発明の実施形態に従って提供されている。転動式ディスク軸受１００の転動式ディスク１０２は、回転陽極２１６を軸線方向に軸承しており、陽極２１６が陽極回転軸１６２の周りを回転する場合は、転動式ディスクの少なくとも１つの外側軸受面と回転陽極２１６の対応する少なくとも１つの軸受面とが整列するようにその転動式ディスク自体を調整することができ、この調整は、本発明の例示的な実施形態による転動式ディスク１０２の転動動作によって可能にされる。
【００８８】
図２０には、本発明の例示的な実施形態によるＸ線管２１２が例示されており、このＸ線管は、陰極２１４と、回転陽極２１６と、この回転陽極２１６を駆動するためのロータ２１８と、上述した本発明の例示的な実施形態及び態様による軸受システム１９２とを含み、そして陰極２１４と、回転陽極２１６と、ロータ２１８と、軸受システム１９２とをハウジングするエンベロープ２２０を含む。
【００８９】
本発明のさらに別の態様によれば、Ｘ線管について上述した例示的な実施形態のいずれかによる装置１００，１９２の使用が提供される。
【００９０】
本発明のさらに別の態様によれば、Ｘ線管２１２について上述した本発明の例示的な実施形態及び態様による、特に図１〜３の実施形態による転動式ディスク軸受の使用が提供される。
【００９１】
本発明のさらに別の態様によれば、Ｘ線管２１２について上述した本発明の実施形態及び態様による、特に図４の実施形態による軸受システム１９２の使用が提供される。
【００９２】
図２１には、本発明の例示的な実施形態によるＸ線源２１２を有するＸ線撮像システム４００が示されている。この撮像システムは、上述した本発明の例示的な実施形態及び態様による装置１００，１９２と、検出器４１６と、処理装置４２０と、被検体受容装置４４２とを備えている。Ｘ線撮像システム４００は、関心のある被検体に関する情報を取得するように適合され且つＸ線源２１２と検出器４１６とを有するＸ線撮像取得装置４１２を備えている。また、サポート４１８が設けられている。このサポート４１８は、構造的負荷軸受部品、構造要素のハウジング等のカバー部品、並びにＸ線源２１２及び検出器４１６等の部品のハウジングを指す。インターフェース４２２が、処理装置４２０に提供されている。
【００９３】
Ｘ線撮像取得装置４１２は、いわゆるＣアーム構造として示されており、Ｘ線源２１２と検出器４１６とが、Ｃアーム４２４の対向側に配置されている。Ｃアーム４２４は、Ｃアーム４２４の回転摺動運動を中心点４２８の周りに可能にするようなスリーブ状の構造体４２６によって組み立てられている。このスリーブ状の構造体４２６は、Ｃアーム４２４の回転が水平軸４３４の周りに可能となるような回転可能な取付構造体４３２によって支持アーム４３０に取り付けられている。この支持アーム４３０は、回転運動が垂直軸４４０の周りに可能となるようなサポート４３８によって天井４３６に装着することができる。Ｘ線撮像データの要求に対して、Ｘ線源２１２と検出器４１６とが、様々な位置で位置決めされ、且ついくつかの軸の周りを回転することができる。
【００９４】
被検体受容装置４４２は、患者を受容するためのテーブルであってもよく、テーブルの上下方向の移動を可能にする調整可能なスタンド４４４によって支持され、高さに関して適合することができる。被検体受容装置４４２が、両矢印４４６で示された水平方向に移動することができる。ボール形状の要素４２８として例示される関心のある被検体は、Ｃアームに対してある比率を有するような様々な位置に位置決めすることができる。関心のある被検体４４８は、テーブル上に配置された患者とすることができる。
【００９５】
処理装置４２０は、Ｘ線源２１２と検出器４１６と他の制御可能な部品、例えばＣアームとテーブルの上述した運動を可能にするアクチュエータとに接続することができる。
【００９６】
Ｘ線撮像取得装置４１２は、被検体４４８上の関心のある領域のＸ線撮像データを取得するために設計されており、システム処理装置４２０は、Ｘ線源２１２と検出器４１６とを制御するように適合されている。システムインターフェース４２２は、取得した画像データを、例えばディスプレイによってユーザに提供するように設計されている。
【００９７】
本発明のさらに別の態様によれば、コンピュータ断層撮影（ＣＴ）システムが提供され、このＣＴシステムは、上述した及び後述する本発明の態様及び例示的な実施形態のいずれか一つによる装置を有するＸ線源を備えている。ＣＴシステムは、上述した及び後述する本発明の態様及び例示的な実施形態の転動式ディスク軸受及び／又は上述した及び後述する本発明の態様及び例示的な実施形態による軸受システムを備えている。
【００９８】
図２２には、上述した実施形態による転動式ディスク軸受をＸ線管のシャフトに装着するための装着方法５００のフローチャートが示されている。この方法は、挿入位置において転動式ディスクの少なくとも１つの挿入切欠き内に装着部品を挿入するするステップ５０２と、転動式ディスクの内側軸支面が装着部品の外側軸支面と一致するような転動位置内において、装着部品を転動式ディスク内に旋回させるステップ５０４であって、それによって、転動式ディスクは、装着部品に関して全ての方向に転動動作を行うことが可能となる、前記旋回ステップと、シャフト上の軸線方向に取り付けられた転動式ディスクの転動位置に対して装着部品を位置決めするステップ５０６と、軸線方向において、転動式ディスクの少なくとも１つの凹部をシャフトの少なくとも１つの引掛部（材）と係合させることにより転動式ディスクの転動動作を維持しつつ、シャフトに関する回転運動に対して転動式ディスクを固定するステップ５０８とを含む。
【００９９】
図２３には、上述した実施形態のいずれかによる転動式ディスク軸受を、本発明のさらに別の態様によるＸ線管のシャフトに対して装着する別の装着方法５００が示されている。この方法は、挿入位置において、転動式ディスクの少なくとも１つの挿入切欠き内に装着部品を挿入するステップ５０２と、転動式ディスクの内側軸支面が装着部品の外側軸支面と一致するような転動位置内において、装着部品を転動式ディスク内で旋回させるステップ５０４であって、それによって、転動式ディスクは、装着部品に関して全ての方向に転動動作を行うことが可能となる、前記旋回ステップと、シャフト上の軸線方向に取り付けられた転動式ディスクの転動位置に関して装着部品を位置決めするステップ５０６と、軸線方向において、少なくとも１つの凹部をシャフトの少なくとも１つの引掛部（材）と係合させることにより転動式ディスクの転動動作を維持しつつ、シャフトに関する回転運動に対して転動式ディスクを固定するステップ５０８と、装着部品の少なくとも１つの凹部と係合するツールによって、装着部品を軸線方向のシャフトに対して取り付けるステップ５１０とを含む。
【０１００】
図２４には、上述した実施形態のいずれかによる転動式ディスク軸受を、本発明の一態様によるＸ線管のシャフトに装着する別の装着方法５００のフローチャートが示されている。この方法は、挿入位置において、少なくとも１つの挿入切欠き内に装着部品を、外側軸支面の少なくとも１つの支持切欠きにおいて挿入するステップ５０２と、転動式ディスクの内側軸支面が装着部品の外側軸支面と一致するような転動位置内において、装着部品を転動式ディスク内で旋回させるステップ５０４であって、それによって、転動式ディスクは、装着部品に関して全ての方向に転動動作を行うことが可能となる、前記旋回ステップと、シャフト上の軸線方向に取り付けられた転動式ディスクの転動位置に関して装着部品を位置決めするステップ５０６０と、１つの凹部を少なくとも１つの引掛部（材）と係合させることにより転動式ディスクの転動動作を維持しつつ、シャフトに関する転動動作に対して転動式ディスクを固定するステップ５０８０とを含む。
【０１０１】
図２５には、上述した実施形態のいずれかによる転動式ディスク軸受を、本発明のさらに別の態様によるＸ線管のシャフトに装着する別の装着方法５００が例示されている。この方法は、挿入位置において、少なくとも１つの挿入切欠き内に装着部品を、外側軸支面の少なくとも１つの支持切欠きにおいて挿入するステップ５０２と、転動式ディスクの内側軸支面が装着部品の外側軸支面と一致するような転動位置内において、装着部品を転動式ディスク内で旋回させるステップ５０４であって、それによって、転動式ディスクが、装着部品に関して全ての方向に転動動作を行うことが可能となる、前記旋回ステップと、少なくとも１つの引掛部材を少なくとも１つの支持切欠きに配置する５０４２ステップと、シャフト上の軸線方向に取り付けられた転動式ディスクの転動位置に対して装着部品を位置決めするステップ５０６０と、少なくとも１つの凹部を少なくとも１つの引掛部材と係合させることにより転動式ディスクの転動動作を維持しつつ、シャフトに関する転動動作に対して転動式ディスクを固定するステップ５０８０とを含む。
【０１０２】
図２６には、上述した実施形態のいずれかによる転動式ディスク軸受を、本発明のさらに別の態様によるＸ線管のシャフトに装着する別の装着方法５００が例示されている。この方法は、挿入位置において、少なくとも１つの挿入切欠き内に装着部品を、外側軸支面の少なくとも１つの支持切欠きにおいて挿入するステップ５０２と、転動式ディスクの内側軸支面が装着部品の外側軸支面と一致するような転動位置内において、装着部品を転動式ディスク内で旋回させるステップ５０４であって、それによって、転動式ディスクは、装着部品に関して全ての方向に転動動作を行うことが可能となる、前記旋回ステップ５０４と、転動式ディスクの内側軸支面の一部が装着部品の外側軸支面と一致し、且つ少なくとも１つの引掛部材を支持するための外側軸支面の支持切欠きが転動式ディスクの外側に位置するような引掛部配列位置内において、軸線方向に直交する直交方向の周りに陽極回転軸に向けて転動式ディスク内の装着部品を旋回させるステップ５０４１と、少なくとも１つの引掛部材を少なくとも１つの支持切欠きに配置するステップ５０４２と、シャフト上の軸線方向に取り付けられた転動式ディスクの転動位置に対して装着部品を位置決めするステップ５０６０と、少なくとも１つの凹部を少なくとも１つの引掛部材と係合させることにより転動式ディスクの転動動作を維持しつつ、シャフトに関する回転運動に対して転動式ディスクを固定するステップ５０８０とを含む。
【０１０３】
図２７には、上述した実施形態のいずれかによる転動式ディスク軸受を、本発明のさらに別の態様によるＸ線管のシャフトに対して装着する別の装着方法５００が例示されている。この方法は、挿入位置において、少なくとも１つの挿入切欠き内に装着部品を、外側軸支面の少なくとも１つの支持切欠きにおいて挿入する５０２のステップと、転動式ディスクの内側軸支面が装着部品の外側軸支面と一致するような転動位置内において、装着部品を転動式ディスク内で旋回させるステップ５０４であって、それによって、転動式ディスクは、装着部品に関して全ての方向に転動動作を行うことが可能となる、前記旋回ステップと、転動式ディスクの内側軸支面の一部が装着部品の外側軸支面と一致し、且つ少なくとも１つの引掛部材を支持するための外側軸支面の支持切欠きが転動式ディスクの外側に位置するような引掛部配列位置内において、軸線方向に直交する直交方向の周りに陽極回転軸に向けて転動式ディスク内の装着部品を旋回させるステップ５０４１と、少なくとも１つの引掛部材を少なくとも１つの支持切欠きに配置するステップ５０４２と、シャフト上の軸線方向に取り付けられた転動式ディスクの転動位置に対して装着部品を位置決めするステップ５０６０と、少なくとも１つの凹部を少なくとも１つの引掛部材と係合させることにより転動式ディスクの転動動作を維持しつつ、シャフトに関する回転運動に対して転動式ディスクを固定するステップ５０８０と、支持切欠きにおいて、軸線方向１６０に直交する直交方向に且つ陽極回転軸に向けて少なくとも１つのリンクを移動させる場合に、少なくとも１つの引掛部材の少なくとも１つのリンクを少なくとも１つの係止凹部と係合させるステップ５０８２とを含む。
【０１０４】
本発明のさらに別の態様によれば、図２４〜図２７の方法５００は、装着部品の少なくとも１つの装着凹部と係合するツールによって、装着部品を軸線方向のシャフトに取り付けるステップ５１０をさらに含む。
【０１０５】
本発明の例示的な実施形態は、様々な主題に関して説明されることに留意されたい。具体的には、いくつかの例示的な実施形態は、装置に係る特許請求の範囲の発明に関して説明されるが、他の例示的な実施形態は、方法に係る特許請求の範囲の発明に関して説明されている。但し、当業者は、特に断りのない限り、１つの種類の主題に属する特徴の任意の組合せに加えて、様々な主題に関連する特徴間の任意の組合せ、具体的には、装置クレームの特徴と方法クレームの特徴との間の任意の組合せが、本願に開示されているものとみなされることを、上述した及び後述する説明から推測するだろう。ただし、全ての特徴は、複数の特徴の単なる総和以上の相乗効果を提供するように組み合わせることができる。
【０１０６】
本発明は、図面及び前述の説明において詳細に例示され且つ説明されてきたが、そのような例示及び説明は、例示的又は説明的な例示として考慮されており、限定的なものではない。本発明は、開示された実施形態に限定されるものではない。開示された実施形態に対する他の変形形態は、図面、明細書の開示、及び従属請求項を検討することによって、特許請求の範囲に記載された発明を実施する当業者によって理解及び達成することができる。
【０１０７】
特許請求の範囲おいて、用語「備える、含む、有する(comprise)」は、他の構成要素又はステップを排除するものではなく、不定冠詞「ａ」又は「ａｎ」は、複数を排除するものではない。単一の処理装置又は他のユニットが、特許請求の範囲に記載された発明のいくつかの構成要素の機能を実現することができる。特定の手段が互いに異なる従属請求項に再び引用されているという単なる事実は、これらの手段の組み合わせが有利に用いることができないことを示すものではない。特許請求の範囲に記載させるいかなる参照符号も、特許請求の範囲を制限するものとして解釈するべきではない。
【符号の説明】
【０１０８】
１００  転動式ディスク軸受
１０２  転動式ディスク
１０４  内側軸支面
１０６  挿入切欠き
１１０  凹部
１１４  外側軸受面
１１８  転動式ディスクのラジアル軸受面
１２０  装着部品
１２２  内側装着面
１２４  外側軸支面
１２６  装着凹部
１２８  支持凹部
１２９  支持凹部
１３０  （転動式ディスクの）軸線方向の幅
１３２  （装着部品の）軸線方向の幅
１３４  オフセット距離
１４０  転動位置
１４１  引掛部配列位置
１４２  挿入位置
１５０  引掛部
１６０  軸線方向
１６２  陽極回転軸
１６４  回転運動、回転方向
１６５  半径方向
１６６  直交方向
１６８  第１の湾曲部
１７０  第２の湾曲部
１７２  第１の湾曲部と一致する面
１７４  第２の湾曲部と一致する面
１７６  均一な空間
１７８  均一な距離
１８２  第１の球の半径
１８４  第１の球の中心点
１８６  第２の球の半径
１８８  第２の球の中心点
１９０  転動点
１９２  軸受システム
１９４  支持構造体
１９６  ラジアル軸受部品
２００  外側軸受面
２０２  突起部
２０４  シャフト
２０６  空洞
２０８  雄ネジ
２１０  雌ネジ
２１２  Ｘ線管
２１４  陰極
２１６  陽極
２１８  ロータ
２２０  エンベロープ
２２２  対応する軸受面
４００  Ｘ線撮像システム
４１２  Ｘ線撮像取得装置
４１６  検出器
４１８  サポート
４２４  Ｃアーム
４２６  スリーブ状構造体
４２８  中心点
４３０  支持アーム
４３２  回転可能な取付構造体
４３４  水平軸
４３６  天井
４３８  サポート
４４０  垂直軸
４４２  被検体受容装置
４４４  適合スタンド
４４６  両矢印
４４８  ボール状要素
５５０  引掛用凹部、支持切欠き
５５１  底面
５５２  周囲面
６０６  支持切欠き
６０９  第１の接合面
６１０  凹部
６１２  （転動式ディスクの凹部と）一致する面
６１４  （転動式ディスクの凹部の）挿入位置
６５０  引掛部材
６５２  引掛部係合面
６５４  第１の側面
６５５  第２の側面
６５６  リンク
６５８  リンク
６６２  引掛部材支持面、引掛部材の底面
６６４  ラッチ
６７０  第２の接合面
【図１】
0005872574.tif 000002
【図２】
0005872574.tif 000003
【図３】
0005872574.tif 000004
【図４】
0005872574.tif 000005
【図５】
0005872574.tif 000006
【図６】
0005872574.tif 000007
【図７】
0005872574.tif 000008
【図８】
0005872574.tif 000009
【図９】
0005872574.tif 000010
【図１０】
0005872574.tif 000011
【図１１】
0005872574.tif 000012
【図１２】
0005872574.tif 000013
【図１３】
0005872574.tif 000014
【図１４】
0005872574.tif 000015
【図１５】
0005872574.tif 000016
【図１６】
0005872574.tif 000017
【図１７】
0005872574.tif 000018
【図１８】
0005872574.tif 000019
【図１９】
0005872574.tif 000020
【図２０】
0005872574.tif 000021
【図２１】
0005872574.tif 000022
【図２２】
0005872574.tif 000023
【図２３】
0005872574.tif 000024
【図２４】
0005872574.tif 000025
【図２５】
0005872574.tif 000026
【図２６】
0005872574.tif 000027
【図２７】
0005872574.tif 000028